(57)【要約】【課題】歩行の際に着用することにより、つまずいて転倒する事故を未然に防止する靴下及びタイツ類を提供する。【解決手段】足首部に補強部を設け、脛部から爪先部に至る編地に、爪先を持ち上げる作用を有する編み組織を設けた靴下及びタイツ類を構成するものである。【選択図】図１
2008088564.tif 000002
【特許請求の範囲】
【請求項１】
足首部に補強部を設け、脛部から爪先部に至る編地に、爪先を持ち上げる作用を有する編み組織を設けたことを特徴とした靴下及びタイツ類。
【請求項２】
前記靴下及びタイツ類は、足底部以外の編地全体を糸供給口を３口を設けて編成し、脛部から足首部、足甲部に至る組織はカットボス組織又は編み組織を変更することにより補強編成され、足底部は糸供給口を４口を設けて編成している請求項１記載の靴下及びタイツ類。
【請求項３】
前記靴下及びタイツ類において、前記足底部以外の編地は、ポリウレタン弾性糸からなる芯糸にナイロンフィラメント糸又はウーリーナイロン糸をカバリングしたシングル又はダブルカバリング糸とナイロンフィラメント糸、ナイロン双糸又は綿やレーヨンからなる混紡糸とで編成した３口交編編地からなり、前記足底部の編地は、ポリウレタン弾性糸からなる芯糸にナイロンフィラメント糸又はウーリーナイロン糸をカバリングしたシングルカバリング糸（以下、ＳＣＹという。）又はダブルカバリング糸（以下、ＤＣＹという。）の添え糸によりカットボス編成された４口編地からなる請求項１記載の靴下及びタイツ類。
【請求項４】
前記靴下及びタイツ類において、前記足底部以外の編地は、ポリウレタン弾性糸からなる芯糸にナイロンフィラメント糸又はウーリーナイロン糸をカバリングしたシングル又はダブルカバリング糸、ナイロンフィラメント糸、ナイロン双糸又は綿やレーヨンからなる混紡糸のいずれかの組み合わせによる糸と、ポリウレタン弾性糸からなる芯糸にナイロンフィラメント糸又はウーリーナイロン糸をカバリングしたＳＣＹ又はＤＣＹを挿入した３口インレイ編地からなり、前記足底部の編地は、ポリウレタン弾性糸からなる芯糸にナイロンフィラメント糸又はウーリーナイロン糸をカバリングしたＳＣＹ又はＤＣＹの添え糸によりカットボス編成された４口編地からなる請求項１記載の靴下及びタイツ類。
【請求項５】
前記靴下及びタイツ類において、前記足底部以外の編地は、ポリウレタン弾性糸からなる芯糸にナイロンフィラメント糸又はウーリーナイロン糸をカバリングしたＳＣＹ又はＤＣＹのみの編糸で編成した３口ゾッキ編地からなり、前記足底部の編地は、ポリウレタン弾性糸からなる芯糸にナイロンフィラメント糸又はウーリーナイロン糸をカバリングしたＳＣＹ又はＤＣＹの添え糸によりカットボス編成された４口編地からなる請求項１記載の靴下及びタイツ類。
【請求項６】
前記靴下及びタイツ類において、前記足底部以外の編地は、ポリウレタン弾性糸からなる芯糸にナイロンフィラメント糸又はウーリーナイロン糸をカバリングしたＳＣＹ又はＤＣＹのみの編糸で編成した３口ゾッキ編地からなり、前記足底部の編地は、ポリウレタン弾性糸からなる芯糸にナイロンフィラメント糸又はウーリーナイロン糸をカバリングしたＳＣＹ又はＤＣＹの添え糸によりカットボス編成された４口編地からなる請求項１記載の靴下及びタイツ類。
【請求項７】
前記靴下及びタイツ類において、前記足底部以外の編地は、ポリウレタン弾性糸からなる芯糸にナイロンフィラメント糸又はウーリーナイロン糸をカバリングしたＳＣＹ、ナイロンフィラメント糸、ナイロン双糸又は綿やレーヨンからなる混紡糸のいずれかの組み合わせによる糸と、ポリウレタン弾性糸からなる芯糸にナイロンフィラメント糸又はウーリーナイロン糸をカバリングしたＳＣＹ又はＤＣＹを挿入した３口インレイ編地からなり、前記足底部の編地は、編み組織を変更することにより保持効果を付加した４口編地からなる請求項１記載の靴下及びタイツ類。
【請求項８】
前記靴下及びタイツ類において、前記足底部以外の編地は、ポリウレタン弾性糸からなる芯糸にナイロンフィラメント糸又はウーリーナイロン糸をカバリングしたＳＣＹ又はＤＣＹのみの編み糸で編成した３口編地からなり、前記足底部の編地は、編み組織を変更することにより保持効果を付加した４口編地からなる請求項１記載の靴下及びタイツ類。
【発明の詳細な説明】
【技術分野】
【０００１】
本発明は、つまずき予防効果を有する靴下及びタイツ類に係り、更に詳しくは着用することによって足首をサポートし、つまずきによる転倒自己を予防する効果が得られる靴下及びタイツ類に関するものである。
【背景技術】
【０００２】
高齢者が歩行中つまずいて転倒する事故が多発している。この結果、骨折し、寝たきりになる事例が老人によく報告されている。整形外科医の所見によると、高齢者は歩行の際に、爪先を引き上げる地からが弱くなり、５ｍｍや１０ｍｍの段差でもつまずいて転倒することが多い。歩行の際、爪先を５ｍｍから１０ｍｍ引き上げることができれば、これらの転倒による自己の多くは未然に防止できると予想されている。
【０００３】
脚力が弱って爪先側を引きずるように歩く人でも、つまずいて転ぶことがない靴下は公知である（実用新案登録第３１０３５７０号公報）。
【特許文献１】実用新案登録第３１０３５７０号公報
【０００４】
また、爪先の指の付け根部分にかかる体重の負担を軽減させるようにした靴下も公知である（実用新案登録第３１０７０８８号公報）。
【特許文献２】実用新案登録第３１０７０８８号公報
【０００５】
しかしながら、特許文献１は、靴下の外面に滑り止めの突起を付設した靴下であり、特許文献２は、靴下の爪先部の前方の足底部にクッション材を編成したものである。
【０００６】
このように、現在までに、爪先部を持ち上げるように編み組織を編成することによって、転倒事故を防止するための靴下及びタイツ類は開発されておらず、実際には、病院等デノリハビリでは、爪先部分を紐等で膝と結合して引き上げる原始的な処置がなされている程度である。
このような状況を踏まえ、爪先部を持ち上げるように編み組織を編成した靴下及びタイツ類の開発は医療現場のみならず日常生活の上でも暗黙のうちに要求されているものである。
【発明の開示】
【発明が解決しようとする課題】
【０００７】
上記の事情に鑑み、本発明は、歩行の際に着用することにより、つまずいて転倒する事故を未然に防止する靴下及びタイツ類を提供することを課題とするものである。
【課題を解決するための手段】
【０００８】
本発明は上記目的を達成するために、足首部に補強部を設け、脛部から爪先部に至る編地に、爪先を持ち上げる作用を有する編み組織を設けたことを特徴とした靴下及びタイツ類を構成するものである。
【０００９】
本発明は、具体的には、足首部に補強部を設け、脛部から爪先部に至る編地にカットボスや編み組織の変化による張力の大きな編地部分とコース数を増加した張力弛緩編地部分とを編成して爪先の引き上げ効果を有するものである。
【００１０】
本発明による靴下及びタイツ類は、ゾッキ又は交編あるいはポリウレタン弾性糸によるフロート編やインレイの組み合わせによって糸供給口が３口で編成される。また、本発明の糸使いは必要に応じて自由に選択できる。例えば、編地の糸使いは、１０ないし７０デニールのナイロンフィラメント糸又はウーリーナイロンの単糸又は双糸、６０ないし１００番手の綿、レーヨンからなる混紡糸と、２０ないし１４０デニールのポリウレタン弾性糸からなる芯糸に１０ないし７０デニールのナイロンフィラメント糸をカバリングしたＳＣＹ、又は同糸を二重にカバリングしたとの交編、あるいはＳＣＹやＤＣＹによるフロート編やレイイン編との組み合わせで構成される。
【００１１】
また、交編やフロート編あるいはレイイン編の組み合わせの他に、ＳＣＹやＤＣＹのみによるゾッキ編による３口編成にしてもよい。
【００１２】
上記３口編成の編地に、編み組織の変化やカットボスによる添え糸で張力の大きい部分の編地を組み込み、一方、４口編成によって張力を弛緩する編地部分を組み込んでいる。
カットボス糸による糸使いは、本実施例の場合、２０ないし１４０デニールのポリウレタン弾性糸からなる芯糸に１０ないし７０デニールのナイロンフィラメント糸をカバリングしたＳＣＹを使用している。
【００１３】
このような３口編成と４口編成を同時に行う丸編み機は、ニット、タック、ミスの編成３要素を同一コース上で実行できる構造のものでなければならない。
【００１４】
本発明による靴下及びタイツ類は、足首部がふくらはぎ部に比べて編み目を小さくする。編み目が小さいほど単位面積当たりの着圧が大きくなるので、足首部分の着圧を大きくし、爪先を引き上げる際の張力に耐えるようにする。
【００１５】
このために、編地の編成に伴って、編み目を変化させるファッショニング装置、給糸時の解舒張力を一定に保つテンション装置、コンピュータ制御によって弾性糸の送り込み量を制御する積極給糸装置を装備した編み機によって編成する。例えば、ＭＥＲＺ、ＳＡＮＴＯＮＩ、ＬＯＮＡＴＩ社の編み機が使用される。
【発明の効果】
【００１６】
本発明は、爪先部分を紐等で結んで引き上げる必要がなく、着用するだけで爪先を引き上げる効果を得ることができる。
【発明を実施するための最良の形態】
【００１７】
以下、本発明の実施例を図面に基づいて詳しく説明する。
図１は、本発明の靴下及びタイツ類の一実施例を示す側面図である。図２は、本発明の口ゴム部の一実施例を示す組織図、図３は同ベース部の一実施例を示す組織図、図４は同ふくらはぎ脛部の一実施例を示す組織図、図５は同足首サポート部の一実施例を示す組織図、図６は同足底張力弛緩部の一実施例を示す組織図、図７は同トウ下部の一実施例を示す組織図、図８は同トウ上部の一実施例を示す組織図である。
【００１８】
図１に示すように、靴下及びタイツ類は、編地組織の区域が口ゴム部Ａ、ベース部Ｂ、ふくらはぎ脛部Ｃ、足首サポート部Ｄ、足底張力弛緩部Ｅ、トウ下部Ｆ、トウ上部Ｇからなっている。
図２に示すように、口ゴム部Ａの糸使いは、例えば、３口編みからなり、第１コースＣ１は、１５６ＤＴのポリウレタン弾性糸芯糸に１５ＤＴと１５ＤＴのウーリーナイロン糸をダブルカバリングしたＤＣＹを挿通し、第２コースＣ２は５６ＤＴの４０フィラメントのウーリーナイロン双糸で編成し、第３コースＣ３は７８ＤＴの２４フィラメントのウーリーナイロン双糸で編成し、第４コースＣ４は５６ＤＴの４０フィラメントのウーリーナイロン双糸で編成する。
ここで、ＤＴとは、１００００ｍで１ｇの糸の繊度を１ＤＴとする。
【００１９】
図３に示すように、ベース部Ｂの糸使いは、靴下及びタイツ類の基本編地であり、例えば、３口編みからなり、第１コースＣ１は、２３５ＤＴのポリウレタン弾性糸芯糸に１５ＤＴと１５ＤＴのナイロン糸をダブルカバリングしたＤＣＹを挿通し、第２コースＣ２は７８ＤＴの２４フィラメントのウーリーナイロン双糸で編成し、第３コースＣ３は４４ＤＴのポリウレタン弾性糸芯糸に７８ＤＴのナイロン糸をシングルカバリングしたＳＣＹを編成する。
【００２０】
図４に示すように、ふくらはぎ脛部Ｃは、爪先部を引っ張りあげる補助機能を有する部分であり、その糸使いは、例えば、３口編みからなり、第１コースＣ１は、２３５ＤＴのポリウレタン弾性糸芯糸に１３ＤＴと１３ＤＴのナイロン糸をダブルカバリングしたＤＣＹを挿通し、第２コースＣ２は７８ＤＴの２４フィラメントのウーリーナイロン双糸で編成し、第３コースＣ３は４４ＤＴのポリウレタン弾性糸芯糸に７８ＤＴのナイロン糸をシングルカバリングしたＳＣＹ（Ｃ３ａ）と４４ＤＴのポリウレタン弾性糸芯糸に７８ＤＴのナイロン糸をシングルカバリングしたＳＣＹ（Ｃ３ｂ）を添え糸とし、カットボス編みで編成する。
【００２１】
図５に示すように、足首サポート部Ｄの糸使いは、例えば、３口編みからなり、第１コースＣ１は、２３５ＤＴのポリウレタン弾性糸芯糸に１３ＤＴと１３ＤＴのナイロン糸をダブルカバリングしたＤＣＹを挿通し、第２コースＣ２は７８ＤＴの２４フィラメントのウーリーナイロン双糸（Ｃ２ａ）に４４ＤＴのポリウレタン弾性糸芯糸に７８ＤＴのナイロン糸をシングルカバリングしたＳＣＹ（Ｃ２ｂ）を添え糸とし、添え糸編みで編成し、第３コースＣ３は４４ＤＴのポリウレタン弾性糸芯糸に７８ＤＴのナイロン糸をシングルカバリングしたＳＣＹ（Ｃ３ａ）と４４ＤＴのポリウレタン弾性糸芯糸に７８ＤＴのナイロン糸をシングルカバリングしたＳＣＹ（Ｃ３ｂ）を添え糸とし、添え糸編みで編成する。
【００２２】
図６に示すように、足底張力弛緩部Ｅの糸使いは、例えば、３口編みからなり、第１コースＣ１は、２３５ＤＴのポリウレタン弾性糸芯糸に１３ＤＴと１３ＤＴのナイロン糸をダブルカバリングしたＤＣＹを挿通し、第２コースＣ２は７８ＤＴの２４フィラメントのウーリーナイロン双糸（Ｃ２ａ）に４４ＤＴのポリウレタン弾性糸芯糸に７８ＤＴのナイロン糸をシングルカバリングしたＳＣＹ（Ｃ２ｂ）を添え糸とし、添え糸編みで編成し、第３コースＣ３は７８ＤＴの２４フィラメントのウーリーナイロン双糸で編成し、第４コースＣ４は４４ＤＴのポリウレタン弾性糸芯糸に７８ＤＴのナイロン糸をシングルカバリングしたＳＣＹ（Ｃ４ａ）と４４ＤＴのポリウレタン弾性糸芯糸に７８ＤＴのナイロン糸をシングルカバリングしたＳＣＹ（Ｃ４ｂ）を添え糸とし、添え糸編みで編成する。
【００２３】
図７に示すように、トウ下部Ｆの糸使いは、例えば、４口編みからなり、第１コースＣ１から第４コースまで、７８ＤＴの２４フィラメントのウーリーナイロン双糸で編成する。
【００２４】
図８に示すように、トウ上部Ｇの糸使いは、トウ下部Ｆの糸使いと同様に、例えば、４口編みからなり、第１コースＣ１から第４コースまで、７８ＤＴの２４フィラメントのウーリーナイロン双糸で編成する。
【００２５】
ここで、ＳＣＹとはポリウレタン弾性糸芯糸にウーリーナイロン糸又はフィラメント糸をシングルカバリングした糸、ＤＣＹとはポリウレタン弾性糸芯糸にウーリーナイロン糸又はフィラメント糸をダブルカバリングした糸をいう。
交編とは、２種類以上の編糸を交互に組み合わせて編成した編地であり、本願の場合、通常はサポート糸とナイロン糸とを交互に編成し、ナイロン糸に透明感があるため、ゾッキ編より透明感が高くファッション性に優れている。
インレイ編とは、編地に本発明の場合、ポリウレタン弾性糸を挿入して編成することをいう。
カットボス編とは、地糸の上に別の糸を重ねて編成する場合に、地糸からなる編地の部分的な領域に別の糸を編み込んで編成することを総称していう。機能的には、部分的な補強を目的とする場合とデザインを目的とする場合があるが、本発明の場合は、部分的な補強を目的としている。
【００２６】
従って、爪先を持ち上げる機能を付与する際に、ふくらはぎ脛部Ｃは図１の矢印に示すように、伸縮し、足首サポート部Ｄの張力を保持するために補強される。足首サポート部Ｄは編地の長手方向の分量が３口編成のため、４口編成の足底部Ｅの７５％程度で、少なく、更に、カットボス編みや編み組織の変化で編み次野長手方向の伸びが抑制されている。
一方、足底部Ｅは、張力のないナイロン糸を使用しているので、伸縮性が小さく、編地の長手方向の伸びが増大する。
その結果、足首サポート部Ｄの足の甲部側が長手方向に引っ張られて、着用時に爪先を引き上げる力を生じる。
なお、ゾッキ編みとは、１種類の弾性糸で編成した編地であって、編地に横じまがなく、肌ざわりがなめらかであり、縦横方向によく伸びフット感に優れており、長時間着用してもたるみやひきつれが起こりにくい。
【００２７】
なお、本発明の靴下及びタイツ類において、前記足底部以外の編地は、ポリウレタン弾性糸からなる芯糸にナイロンフィラメント糸又はウーリーナイロン糸をカバリングしたシングル又はダブルカバリング糸、ナイロンフィラメント糸、ナイロン双糸又は綿やレーヨンからなる混紡糸のいずれかの組み合わせによる糸と、ポリウレタン弾性糸からなる芯糸にナイロンフィラメント糸又はウーリーナイロン糸をカバリングしたＳＣＹ又はＤＣＹを挿入した３口インレイ編地からなり、前記足底部の編地は、ポリウレタン弾性糸からなる芯糸にナイロンフィラメント糸又はウーリーナイロン糸をカバリングしたＳＣＹ又はＤＣＹの添え糸によりカットボス編成された４口編地からなる靴下及びタイツ類に編成してもよい。
【００２８】
また、前記靴下及びタイツ類において、前記足底部以外の編地は、ポリウレタン弾性糸からなる芯糸にナイロンフィラメント糸又はウーリーナイロン糸をカバリングしたＳＣＹ又はＤＣＹのみの編糸で編成した３口ゾッキ編地からなり、前記足底部の編地は、ポリウレタン弾性糸からなる芯糸にナイロンフィラメント糸又はウーリーナイロン糸をカバリングしたＳＣＹ又はＤＣＹの添え糸によりカットボス編成された４口編地からなる靴下及びタイツ類に編成してもよい。
【００２９】
更に、前記靴下及びタイツ類において、前記足底部以外の編地は、ポリウレタン弾性糸からなる芯糸にナイロンフィラメント糸又はウーリーナイロン糸をカバリングしたＳＣＹ又はＤＣＹのみの編糸で編成した３口ゾッキ編地からなり、前記足底部の編地は、ポリウレタン弾性糸からなる芯糸にナイロンフィラメント糸又はウーリーナイロン糸をカバリングしたＳＣＹ又はＤＣＹの添え糸によりカットボス編成された４口編地からなる靴下及びタイツ類に編成してもよい。
【００３０】
更にまた、前記靴下及びタイツ類において、前記足底部以外の編地は、ポリウレタン弾性糸からなる芯糸にナイロンフィラメント糸又はウーリーナイロン糸をカバリングしたＳＣＹ、ナイロンフィラメント糸、ナイロン双糸又は綿やレーヨンからなる混紡糸のいずれかの組み合わせによる糸と、ポリウレタン弾性糸からなる芯糸にナイロンフィラメント糸又はウーリーナイロン糸をカバリングしたＳＣＹ又はＤＣＹを挿入した３口インレイ編地からなり、前記足底部の編地は、編み組織を変更することにより保持効果を付加した４口編地からなる靴下及びタイツ類に編成してもよい。
【００３１】
また更に、前記靴下及びタイツ類において、前記足底部以外の編地は、ポリウレタン弾性糸からなる芯糸にナイロンフィラメント糸又はウーリーナイロン糸をカバリングしたＳＣＹ又はＤＣＹのみの編み糸で編成した３口編地からなり、前記足底部の編地は、編み組織を変更することにより保持効果を付加した４口編地からなる靴下及びタイツ類に編成してもよい。
【００３２】
編み組織を変更することにより保持効果を付加には、編地の編成に伴って、組織を変化させるファッショニング装置、給糸時の解除テンションを一定に保つテンション装置、コンピュータ制御によって弾性糸の送りこみ量を制御する積極給糸装置を装備した編機によって編成することができる。また、編地組織は、例えば、平編、メッシュ編、フロート編、タック編、タック編とフロート編との組み合わせ、カットボス編等によって編成することができる。
【産業上の利用可能性】
【００３３】
本発明の靴下及びタイツ類は、日常の保温用を始め、スポ−ツ用や介護用としても、広く利用しうるものである。
【図面の簡単な説明】
【００３４】
【図１】本発明の靴下及びタイツ類の一実施例を示す側面図である。
【図２】本発明の口ゴム部の一実施例を示す組織図である。
【図３】同ベース部の一実施例を示す組織図である。
【図４】同ふくらはぎ脛部の一実施例を示す組織図である。
【図５】同足首サポート部の一実施例を示す組織図である。
【図６】同足底張力弛緩部の一実施例を示す組織図である。
【図７】同トウ下部の一実施例を示す組織図である。
【図８】同トウ上部の一実施例を示す組織図である。
【符号の説明】
【００３５】
１      靴下
Ａ      口ゴム部
Ｂ      ベース部
Ｃ      ふくらはぎ脛部
Ｄ      足首サポート部
Ｅ      足底張力弛緩部
Ｆ      トウ下部
Ｇ      トウ上部
【図１】
2008088564.tif 000003
【図２】
2008088564.tif 000004
【図３】
2008088564.tif 000005
【図４】
2008088564.tif 000006
【図５】
2008088564.tif 000007
【図６】
2008088564.tif 000008
【図７】
2008088564.tif 000009
【図８】
2008088564.tif 000010